(57)【要約】【課題】外表面に凹凸を有する場合でも視野性の高い表示ラベルが脱落しにくく、しかも薬品等による劣化から繊維補強樹脂を守ることができるスパイラル型膜エレメントを提供する。【解決手段】平膜を収容する本体部１と、その本体部１の両端に設けられた端部材２ａ、２ｂとを備えるスパイラル型の膜エレメントにおいて、前記本体部１の外周面に密着したプラスチック層３が、前記本体部１の略全長にわたって設けられていることを特徴とする。【選択図】図１
0003121719.tif 000002
【実用新案登録請求の範囲】
【請求項１】
平膜を収容する本体部と、その本体部の両端に設けられた端部材とを備えるスパイラル型の膜エレメントにおいて、前記本体部の外周面に密着したプラスチック層が、前記本体部の略全長にわたって設けられていることを特徴とする膜エレメント。
【請求項２】
前記プラスチック層が、筒状の熱収縮フィルムである請求項１記載の膜エレメント。
【請求項３】
前記プラスチック層が、シ−トである請求項１記載の膜エレメント。
【考案の詳細な説明】
【技術分野】
【０００１】
本考案は、平膜を収容する本体部と、その本体部の両端に設けられ端部材とを備えるスパイラル型膜エレメントに関する。
【背景技術】
【０００２】
平膜を収容する本体部を備える膜エレメントとしては、スパイラル型膜レメントが知られている。スパイラル型膜エレメントの場合、流路材を介在させつつ膜をスパイラル状に巻回した後、その外周面に長繊維を巻回して繊維補強樹脂からなる外装部を設けることが多い。そのために外表面は一般に凸凹を有している。しかも、外表面は完全な円柱形でない場合も多い。
【０００３】
そして、製品会社名、品番、及び装着方向等を表示するラベルは、通常この外装部の最下部または中間部に設置されていることが多い。
【０００４】
しかしながら、繊維補強樹脂からなる外装部は、エレメントの薬品洗浄によって劣化してササクレだったりするため、取り扱いに不備をきたす場合ある。
【０００５】
また、樹脂層内に表示ラベルがあるために、表示がはっきり確認できなかったり、繊維補強樹脂の劣化により、視野性が低下したりして機能を果たしていない場合もある。繊維補強樹脂の外部は凹凸があるために表示ラベルが貼りにくい。また、原水に接液するために使用中に剥がれてしまう可能性が高くなる。
【考案の開示】
【考案が解決しようとする課題】
【０００６】
そこで、本考案の目的は、外表面に凹凸を有する場合でも視野性の高い表示ラベルが脱落しにくく、しかも薬品等による劣化から繊維補強樹脂を守ることができるスパイラル型膜エレメントを提供することにある。
【課題を解決するための手段】
【０００７】
上記目的は、下記の如き本考案により達成できる。
【０００８】
即ち、本考案のスパイラル型膜エレメントは、平膜を収容する本体部と、その本体部の両端に設けられた端部材とを備えるスパイラル型の膜エレメントにおいて、前記本体部の外周面に密着したプラスチック層が、前記本体部の略全長にわたって設けられていることを特徴とする。本考案によると、外表面に凹凸を有する場合でも視野性の高い表示ラベルが脱落しにくく、しかも薬品等による劣化から繊維補強樹脂を守ることができる。
【０００９】
特に、本考案（第１実施形態）のスパイラル型膜エレメントは、平膜を収容する本体部と、その本体部分の両端に設けられた端部材とを備える膜エレメントにおいて、前記本体部の外周面に密着した筒状の熱収縮フィルムが、前記本体部の略全長にわたって設けられていることを特徴とする。
このように熱収縮フィルムを用いることで、外表面に凹凸を有し、外表面は完全な円柱形でない本体部に対しても、好適に追従できる。
【００１０】
また、本考案（第２実施形態）のスパイラル型膜エレメントは、平膜を収容する本体部と、その本体部分の両端に設けられた端部材とを備える膜エレメントにおいて、前記本体部の外周面に密着したシ−トが、前記本体部の略全長にわたって設けられていることを特徴とする。
【考案を実施するための最良の形態】
【００１１】
本考案のスパイラル型膜エレメントは、図１のように、膜を収容する本体部１とその本体部の両端に設けられた端部材２ａ、２ｂとを備える膜エレメントにおいて、外装部にプラスチック層３が前記本体部１の略全長にわたって設けられていることを特徴とする。外装部にプラスチック層が存在することによって、繊維補強樹脂１ａの劣化を防ぐことができる。また、繊維補強樹脂１ａの凹凸をプラスチック層３で覆うために、外装部の凹凸部分への原水溜りがなくなり、外表面の汚れ付着も少なくすることが出来る。
【００１２】
また、プラスチック層３を透明にすれば、その下に表示ラベル４を設置することができる。透明のプラスチック層３の下に設置すれば、表示ラベル４の視野性もよく、外表面に凹凸がある場合や原水に接液する場合でも表示ラベル４が剥がれることはない。
【００１３】
さらに、プラスチック層３に表示を直接印刷することもできる。印刷は外面及び／又は内面に施される。但し、インキ類の溶出を防止する上で、内面に印刷することが望ましい。また、プラスチック層３として、多層タイプのものを用いて中間層に印刷してもよい。更に顔料や染料を含むプラスチック層３を用いることも可能である。印刷することによって表示を大きくし、視野性、表現力を増すことも可能となる。
【００１４】
＜第１実施形態＞
第１実施形態の膜エレメントでは、図２に示すように、プラスチック層３が、本体部１の表面に密着した筒状の熱収縮フィルム３ａである。図示した例では、本体部１の繊維補強樹脂１ａに対し、接着せずに密着している。但し、接着剤を用いて密着する熱収縮フィルム３ａを接着したり、繊維補強樹脂からなる外装材の硬化時に、その樹脂成分によって熱収縮フィルム３ａを接着することも可能である。
【００１５】
熱収縮フィルム３ａは、延伸ファイルの分子配向に基づく内部応力等を利用して、加熱によって収縮が生じるフィルムである。熱収縮フィルム３ａとしては、架橋ポリエチレン収縮フィルム、ポリスチレン系収縮フィルム、ＰＥＴ収縮ファイム、塩ビ収縮フィルム、ＰＰ収縮ファイム、オレフィン系多層収縮フィルムなどが挙げられる。
【００１６】
筒状の熱収縮フィルム３ａは、継ぎ目があるタイプ、継ぎ目がないタイプのどちらでも使用することが可能である。
【００１７】
＜第２実施形態＞
第２実施形態のエレメントでは、図３に示すようにシート３ｂが、本体部１の繊維補強樹脂１ａの外周部分に巻かれている。シートは、１枚ではなく複数に分割したものでもよい。また、単層構造だけではなく、多層構造のシートも使用できる。さらには、細長いテープで形成され本体部１にコイル状に巻き付けてもよい。
【００１８】
プラスチック層３を設ける範囲は、本体部の略全長にわたって設けられていればよく、フィルム層３が端部材に一部重畳していてもよい。
【図面の簡単な説明】
【００１９】
【図１】本考案のエレメントの一例を示す斜視図
【図２】第１実施形態の膜エレメントの一例を示す要部断面図
【図３】第２実施形態の膜エレメントの一例を示す要部断面図
【符号の説明】
【００２０】
１            本体部
１ａ          繊維補強樹脂
２ａ，２ｂ    端部材
３            フィルム層
３ａ          熱収縮フィルム
３ｂ          シ−ト
４            表示ラベル
【図１】
0003121719.tif 000003
【図２】
0003121719.tif 000004
【図３】
0003121719.tif 000005